(57)【要約】【課題】アンテナ性能の劣化を確実に低減するとともに、製造容易にして製造コストの増大を抑制すること。【解決手段】第２の筐体１０２は、第１の筐体１０１に対して回転自在に第１の筐体１０１と接続する。回路基板１０４は、第１の筐体１０１に設けられる。回路基板１０５は、第２の筐体１０２に設けられる。無線回路１０６は、回路基板１０４に設けられる。アンテナ素子１０７は、第１の筐体１０１に設けられ、無線回路１０６と電気的に接続する。透明導電性シート１０８は、第２の筐体１０８に設けられ、第１の筐体１０１と第２の筐体１０２とが上下に重なり合う閉じた状態において、回路基板１０４と回路基板１０５との間に配置される。【選択図】図２
2011205207.tif 000002
【特許請求の範囲】
【請求項１】
第１の筐体と、
前記第１の筐体に対して回転自在に前記第１の筐体と接続する第２の筐体と、
前記第１の筐体に設けられる第１の回路基板と、
前記第２の筐体に設けられる第２の回路基板と、
前記第１の回路基板に設けられる無線回路と、
前記第１の筐体に設けられ、前記無線回路と電気的に接続するアンテナ素子と、
前記第１の筐体または前記第２の筐体に設けられ、前記第１の筐体と前記第２の筐体とが上下に重なり合う閉じた状態において前記第１の回路基板と前記第２の回路基板との間に配置される導電部材と、
を具備する通信端末装置。
【請求項２】
前記導電部材は、透明なシートである請求項１記載の通信端末装置。
【請求項３】
前記導電部材は、前記第１の筐体または前記第２の筐体の外表面部に貼着する請求項２記載の通信端末装置。
【請求項４】
前記導電部材は、前記第１の回路基板及び前記第２の回路基板と容量結合する請求項１記載の通信端末装置。
【発明の詳細な説明】
【技術分野】
【０００１】
本発明は、通信端末装置に関し、特に開閉自在な複数の筐体を有する通信端末装置に関する。
【背景技術】
【０００２】
従来、２つの筐体が開閉可能に連結されて構成された無線装置が知られている。図１は、開閉可能な無線装置１の閉じた状態の側面図である。図１に示すように、無線装置１は、下筐体１０と、上筐体１１と、ヒンジ部１２と、回路基板１３と、回路基板１４と、アンテナ素子１５とを有する。無線装置１は、下筐体１０と上筐体１１とが重なり合う閉じた状態において、アンテナ素子１５に給電した際に、回路基板１３と回路基板１４とのグランド電流が流れる。この際、回路基板１３を流れるグランド電流ｅ１と、回路基板１４を流れるグランド電流ｅ２とは、互いに打ち消し合う方向に流れる。従って、無線装置１は、待ち受け等の閉じた状態において、アンテナ性能の劣化が生じるという課題がある。
【０００３】
この課題を解決する方法として、特許文献１に示す無線装置が知られている。特許文献１によれば、閉じた状態において下筐体に相対する上筐体の面上に、上接地領域と接続された上短絡部を設け、上筐体に相対する下筐体の面上で上短絡部と接触する位置に、下接地領域と接続された下短絡部を設ける。これにより、閉じた状態におけるアンテナ性能の劣化を低減することができる。
【先行技術文献】
【特許文献】
【０００４】
【特許文献１】特開２００６−３３３１０号公報
【発明の概要】
【発明が解決しようとする課題】
【０００５】
しかしながら、特許文献１においては、上短絡部と下短絡部とを物理的に接続する必要があるので、上短絡部と下短絡部との接続不良によりアンテナ性能が劣化するという問題がある。また、特許文献１においては、上短絡部と下短絡部との位置合わせを精度良く行う必要があるので、製造工程が複雑になり、製造コストが増大するという問題がある。
【０００６】
本発明の目的は、アンテナ性能の劣化を確実に低減することができるとともに、製造容易にして製造コストの増大を抑制することができる通信端末装置を提供することである。
【課題を解決するための手段】
【０００７】
本発明の通信端末装置は、第１の筐体と、前記第１の筐体に対して回転自在に前記第１の筐体と接続する第２の筐体と、前記第１の筐体に設けられる第１の回路基板と、前記第２の筐体に設けられる第２の回路基板と、前記第１の回路基板に設けられる無線回路と、前記第１の筐体に設けられ、前記無線回路と電気的に接続するアンテナ素子と、前記第１の筐体または前記第２の筐体に設けられ、前記第１の筐体と前記第２の筐体とが上下に重なり合う閉じた状態において前記第１の回路基板と前記第２の回路基板との間に配置される導電部材と、を具備する構成を採る。
【発明の効果】
【０００８】
本発明によれば、アンテナ性能の劣化を確実に低減することができるとともに、製造容易にして製造コストの増大を抑制することができる。
【図面の簡単な説明】
【０００９】
【図１】従来の通信端末装置の閉じた状態の側面図
【図２】本発明の実施の形態に係る通信端末装置の閉じた状態の側面図
【図３】本発明の実施の形態に係る透明導電性シートを貼着した通信端末装置の開いた状態の平面図
【図４】本発明の実施の形態に係る第１の変形例の透明導電性シートを貼着した通信端末装置の開いた状態の平面図
【図５】本発明の実施の形態に係る第２の変形例の透明導電性シートを貼着した通信端末装置の開いた状態の平面図
【図６】本発明の実施の形態に係る第３の変形例の透明導電性シートを貼着した通信端末装置の開いた状態の平面図
【図７】本発明の実施の形態に係る第４の変形例の透明導電性シートを貼着した通信端末装置の開いた状態の平面図
【発明を実施するための形態】
【００１０】
以下、本発明の実施の形態について、図面を参照して詳細に説明する。
【００１１】
（実施の形態）
図２は、本発明の実施の形態に係る通信端末装置１００の閉じた状態の側面図である。
【００１２】
通信端末装置１００は、第１の筐体１０１と、第２の筐体１０２と、ヒンジ部１０３と、回路基板１０４と、回路基板１０５と、無線回路１０６と、アンテナ素子１０７とから主に構成される。以下に、各構成について、詳細に説明する。
【００１３】
第１の筐体１０１は、ヒンジ部１０３を介して、第２の筐体１０２に対して回転自在に第２の筐体１０２と接続する。また、第１の筐体１０１は、閉じた状態において、図２に示すように、第２の筐体１０２と上下に重なり合う。また、第１の筐体１０１は、回路基板１０４と、無線回路１０６と、アンテナ素子１０７と、透明導電性シート１０８とを有する。
【００１４】
第２の筐体１０２は、ヒンジ部１０３を介して、第１の筐体１０１に対して図２のＸ方向に回転自在に第１の筐体１０１と接続する。これにより、通信端末装置１００は、図２の閉じた状態と、閉じた状態から第２の筐体１０２が図２のＸ１方向に回転した図示しない開いた状態とになる。また、第２の筐体１０２は、回路基板１０５を有する。また、閉じた状態において第１の筐体１０１に対向する第２の筐体１０２の表面には、透明導電性シート１０８が貼着されている。
【００１５】
ヒンジ部１０３は、第１の筐体１０１と第２の筐体１０２とを、閉じた状態と開いた状態との間で、Ｘ方向に互いに回転自在に接続する。また、ヒンジ部１０３は、近傍にアンテナ素子１０７が設けられる。
【００１６】
回路基板１０４は、第１の筐体１０１の内部の略全面に設けられる。また、回路基板１０４は、無線回路１０６が設けられる。また、回路基板１０４は、アンテナ素子１０７のグランド電流が流れる導電部を有する。また、回路基板１０４は、図示しない回路パターンが印刷形成される。また、回路基板１０４は、閉じた状態において、透明導電性シート１０８と容量結合することにより、透明導電性シート１０８を介して回路基板１０５と電気的に接続する。また、回路基板１０４は、ヒンジ部１０３中に存在する図示しないフレキシブルプリント基板等を介して回路基板１０５と電気的に接続する。
【００１７】
回路基板１０５は、第２の筐体１０２の内部の略全面に設けられる。また、回路基板１０５は、アンテナ素子１０７のグランド電流が流れる導電部を有する。また、回路基板１０５は、図示しない回路パターンが印刷形成される。また、回路基板１０５は、閉じた状態において、透明導電性シート１０８と容量結合する。
【００１８】
無線回路１０６は、回路基板１０４のヒンジ部１０３側に設けられ、所定の無線処理を行う。また、無線回路１０６は、アンテナ素子１０７と電気的に接続する。
【００１９】
アンテナ素子１０７は、第１の筐体１０１のヒンジ部１０３の近傍に設けられる。また、アンテナ素子１０７は、無線回路１０６と電気的に接続される。また、アンテナ素子１０７は、所定の周波数で共振する。
【００２０】
透明導電性シート１０８は、シート状であり、透明な材料により形成される。また、透明導電性シート１０８は、閉じた状態において、回路基板１０４と回路基板１０５との間に位置する。また、透明導電性シート１０８は、閉じた状態において、第１の筐体１０１と対向する第２の筐体１０２の外表面部に貼着される。また、透明導電性シート１０８は、閉じた状態において、回路基板１０４と容量結合する。なお、透明導電性シート１０８の詳細については、後述する。
【００２１】
上記の構成を有する通信端末装置１００によれば、回路基板１０４と回路基板１０５とが透明導電性シート１０８を介して容量結合することにより、回路基板１０４と回路基板１０５との電磁結合を強くすることができる。これにより、回路基板１０４と回路基板１０５の双方において、アンテナ電流ｅ１０が同一方向（図２の右方向）に流れる。以上で、通信端末装置１００の構成の説明を終える。
【００２２】
次に、透明導電性シート１０８について、詳細に説明する。
【００２３】
図３は、透明導電性シート１０８を貼着した通信端末装置１００の開いた状態の平面図である。なお、図３において、透明導電性シート１０８を斜線で示す。
【００２４】
図３において、第１の筐体１０１は、操作パネル部３０１を有する。また、第２の筐体１０２は、表示部３０２を有する。また、透明導電性シート１０８は、第２の筐体１０２に設けられる。また、この際、透明導電性シート１０８は、閉じた状態において、第１の筐体１０１と対向する第２の筐体１０２の外表面部の、表示部３０２を含む略全面に貼着される。
【００２５】
図４は、本実施の形態の第１の変形例の透明導電性シート１０８を貼着した通信端末装置１００の開いた状態の平面図である。なお、図４において、透明導電性シート１０８を斜線で示す。
【００２６】
図４において、第１の筐体１０１は、操作パネル部４０１を有する。また、第２の筐体１０２は、表示部４０２を有する。また、透明導電性シート１０８は、第１の筐体１０１に設けられる。また、この際、透明導電性シート１０８は、閉じた状態において、第２の筐体１０２と対向する第１の筐体１０１の外表面部の、操作パネル部４０１を含む略全面に貼着される。
【００２７】
図５は、本実施の形態の第２の変形例の透明導電性シート１０８ａ、１０８ｂを貼着した通信端末装置１００の開いた状態の平面図である。なお、図５において、透明導電性シート１０８を斜線で示す。
【００２８】
図５において、第１の筐体１０１は、操作パネル部５０１を有する。また、第２の筐体１０２は、表示部５０２を有する。また、透明導電性シート１０８ａは、第１の筐体１０１に設けられる。また、この際、透明導電性シート１０８ａは、閉じた状態において、第２の筐体１０２と対向する第１の筐体１０１の外表面部の、下端に貼着される。また、透明導電性シート１０８ｂは、第２の筐体１０２に設けられる。また、この際、透明導電性シート１０８ｂは、閉じた状態において、第１の筐体１０１と対向する第２の筐体１０２の外表面部の、上端に貼着される。
【００２９】
図６は、本実施の形態の第３の変形例の透明導電性シート１０８ｃ、１０８ｄ、１０８ｅを貼着した通信端末装置１００の開いた状態の平面図である。なお、図６において、透明導電性シート１０８を斜線で示す。
【００３０】
図６において、第１の筐体１０１は、操作パネル部６０１を有する。また、第２の筐体１０２は、表示部６０２を有する。また、透明導電性シート１０８ｃは、第１の筐体１０１に設けられる。また、この際、透明導電性シート１０８ｃは、閉じた状態において、第２の筐体１０２と対向する第１の筐体１０１の外表面部の、下端に貼着される。また、透明導電性シート１０８ｄは、第１の筐体１０１に設けられる。また、この際、透明導電性シート１０８ｄは、閉じた状態において、第２の筐体１０２と対向する第１の筐体１０１の外表面部の、上端に貼着される。また、透明導電性シート１０８ｅは、第２の筐体１０２に設けられる。また、この際、透明導電性シート１０８ｅは、閉じた状態において、第１の筐体１０１と対向する第２の筐体１０２の外表面部の、上端に貼着される。
【００３１】
図７は、本実施の形態の第４の変形例の透明導電性シート１０８ｆ、１０８ｇを貼着した通信端末装置１００の開いた状態の平面図である。なお、図７において、透明導電性シート１０８を斜線で示す。
【００３２】
図７において、第１の筐体１０１は、操作パネル部７０１を有する。また、第２の筐体１０２は、表示部７０２を有する。また、透明導電性シート１０８ｆは、第１の筐体１０１に設けられる。また、この際、透明導電性シート１０８ｆは、閉じた状態において、第２の筐体１０２と対向する第１の筐体１０１の外表面部の、操作パネル部７０１の周囲に環状に貼着される。また、透明導電性シート１０８ｇは、第２の筐体１０２に設けられる。また、この際、透明導電性シート１０８ｇは、閉じた状態において、第１の筐体１０１と対向する第２の筐体１０２の外表面部の、表示部７０２の周囲に環状に貼着される。
【００３３】
このように、本実施の形態によれば、閉じた状態において上下に重なり合う筐体の回路基板間を透明導電性シートにより容量結合するので、各回路基板のグランド電流を同一方向に流すことができる。この結果、アンテナ性能の劣化を確実に低減することができる。また、本実施の形態によれば、閉じた状態において、各筐体の回路基板間に透明導電性シートを配置するだけでよいので、正確な位置合わせを不要にすることができ、製造容易にして製造コストの増大を抑制することができる。また、本実施の形態によれば、透明導電性シートを用いたので、表示部または操作パネル部と緩衝する位置に設けることができるとともに、外表面部に貼り付けるので、製造容易にして製造コストの増大を抑制することができる。また、本実施の形態によれば、透明導電性シートを用いたので、通信端末装置の外表面部に貼着した場合でも、通信端末装置の外観上のデザイン性を損なうことを防ぐことができる。また、本実施の形態によれば、透明導電性シートと各回路基板とを容量結合したので、接続不良等によるアンテナ性能の劣化を防ぐことができる。また、本実施の形態によれば、シート状の導電部材を用いて回路基板間を電気的に接続したので、通信端末装置を薄型化することができる。また、本実施の形態によれば、透明導電性シートを筐体の表面の上端または下端に設けた場合には、透明導電性シートの大きさを小さくできるので、製造コストに占める透明導電性シートの費用を低減でき、製造コストを低減することができる。
【００３４】
なお、上記の実施の形態において、二つ折り形式の通信端末装置に適用したが、本発明はこれに限らず、スライド式等の任意の開閉自在な通信端末装置に適用することができる。また、上記の実施の形態において、透明導電性シートにより回路基板間を容量結合することとしたが、閉じた状態において回路基板間に位置する筐体の一部を、導電性を有する透明部材により形成し、導電性を有する筐体により回路基板間を容量結合することとしてもよい。また、上記の実施の形態において、ヒンジ部の近傍にアンテナ素子を配置したが、本発明はこれに限らず、筐体のヒンジ部を設けた端部と反対側の端部にアンテナ素子を設けてもよい。また、上記の実施の形態において、無線回路１０６を回路基板１０４のヒンジ部側に設けることとしたが、本発明はこれに限らず、無線回路１０６を回路基板１０４のヒンジ部側以外のところに設けることとしてもよく、回路基板１０５に設けることとしてもよい。また、上記の実施の形態において、閉じた状態において下側の第１の筐体にアンテナ素子を設けたが、閉じた状態において上側の第２の筐体にアンテナ素子を設けてもよい。また、上記の実施の形態において、透明導電性シートにより回路基板間を容量結合することとしたが、本発明はこれに限らず、透明でない導電性シートにより回路基板間を容量結合することとしてもよい。また、上記の実施の形態において、透明導電性シートを筐体の外表面部に貼着したが、本発明はこれに限らず、透明導電性シートを筐体の内部に設けてもよい。また、回路基板１０４を第１の筐体１０１の内部の略全面に設けることとしたが、本発明はこれに限らず、回路基板１０４を第１の筐体１０１の内部の一部に設けることとしてもよい。また、回路基板１０５を第２の筐体１０２の内部の略全面に設けることとしたが、本発明はこれに限らず、回路基板１０５を第２の筐体１０２の内部の一部に設けることとしてもよい。
【産業上の利用可能性】
【００３５】
本発明は、特に開閉自在な複数の筐体を有する通信端末装置に好適である。
【符号の説明】
【００３６】
１００  通信端末装置
１０１  第１の筐体
１０２  第２の筐体
１０３  ヒンジ部
１０４、１０５  回路基板
１０６  無線回路
１０７  アンテナ素子
１０８  透明導電性シート
ｅ１０  グランド電流
【図１】
2011205207.tif 000003
【図２】
2011205207.tif 000004
【図３】
2011205207.tif 000005
【図４】
2011205207.tif 000006
【図５】
2011205207.tif 000007
【図６】
2011205207.tif 000008
【図７】
2011205207.tif 000009